【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
指定の波長を有する光を生成するように構成された光源と、
照射軸と平行な照射方向に沿ってサンプル内のある位置でライトシートに前記光を形成するように構成された照明光学部品と、
前記照射軸に関して横方向オフセットの周りで前記ライトシートを並進させるように構成された第１のコントローラと、
前記サンプル内の前記位置に関して縦方向オフセットの周りで前記ライトシートを並進させるように構成された第２のコントローラと、
前記照射軸の周りの横揺れ角内で前記ライトシートを回転させるように構成された第３のコントローラと、
前記照射軸に対して垂直な方向の周りの偏揺れ角内で前記ライトシートを回転させるように構成された第４のコントローラと、
を含む、顕微鏡。
【請求項２】
前記光源が、レーザであり、
前記レーザによって生成される前記光が、ビームの断面を通るガウス型輪郭を有する前記ビームを含み、
前記ビームが、前記ビームの前記ガウス型輪郭が最小幅を有する前記照射軸に沿った位置にウエストを有し、
前記サンプル内の前記位置に関して前記縦方向オフセットの周りで前記ライトシートを並進させるように構成された前記第２のコントローラが、前記照射軸に沿って前記ビームの前記ウエストを移動させるように更に構成される、請求項１に記載の顕微鏡。
【請求項３】
前記照射軸の周りの前記横揺れ角内で前記ライトシートを回転させるように構成された前記第３のコントローラが、二軸ガルバノメータスキャナを含む、請求項１に記載の顕微鏡。
【請求項４】
前記照射軸に対して垂直な前記方向の周りの偏揺れ角内で前記ライトシートを回転させるように構成された前記第４のコントローラが、縦チルトミラー及び横チルトミラーを有する二軸旋回ガルバノメータスキャナを含み、
前記縦チルトミラーが、前記照射軸に対して第１の方向θｘに前記光を角変位させるように構成され、
前記横チルトミラーが、前記照射軸に対して第２の方向θｚに前記光を角変位させるように構成され、
前記第２の方向が、前記第１の方向に対して垂直であり、
前記偏揺れ角が、θｘとθｚの集合である、請求項１に記載の顕微鏡。
【請求項５】
前記照射軸に対して垂直な前記方向の周りの偏揺れ角内で前記ライトシートを回転させるように構成された前記第４のコントローラが、２つのリレーレンズを更に含み、
前記二軸旋回ガルバノメータスキャナが、前記レーザからの平行ビームが第１のリレーレンズによって垂直走査ミラー上に合焦され、第２のリレーレンズが、視準を復旧し、前記二軸ライトシートガルバノメータスキャナ上に前記ビームを誘導するように、前記２つのリレーレンズ間の焦点距離に位置決めされる、請求項４に記載の顕微鏡。
【請求項６】
検出軸と平行な検出方向に対して垂直な像平面内で前記ライトシートによって照らされた前記サンプルの画像を生成するように構成された対物レンズと、
前記像平面内で前記ライトシートによって照らされた前記サンプルの前記画像を検出するように構成された検出器と、
前記検出軸に沿って前記対物レンズを並進させるように構成された第５のコントローラと、
を更に含む、請求項１に記載の顕微鏡。
【請求項７】
前記サンプルが、蛍光マーカのセットを含み、
前記ライトシートによって照らされた前記サンプルの前記画像が、前記対物レンズ内に蛍光発光波長の光を放射する前記蛍光マーカのセットによって生成される、請求項６に記載の顕微鏡。
【請求項８】
蛍光発光波長が前記指定の波長とは異なるものである、請求項７に記載の顕微鏡。
【請求項９】
前記画像の画像品質メトリックの最適化に応じて前記第１のコントローラ、前記第２のコントローラ、前記第３のコントローラ、前記第４のコントローラ、及び前記第５のコントローラのそれぞれを制御するように構成された適応制御メカニズムを更に含む、請求項６に記載の顕微鏡。
【請求項１０】
前記適応制御メカニズムが、前記画像品質メトリックの前記最適化の実行前にガウスカーネル機能によって前記画像についてたたみこみ操作を実行するように更に構成される、請求項９に記載の顕微鏡。
【請求項１１】
前記画像品質メトリックが、前記画像のピクセルの強度のアフィン変換に対して不変である、請求項９に記載の顕微鏡。
【請求項１２】
前記画像品質メトリックが、光学的帯域通過を通過できる空間周波数のみに依存する、請求項９に記載の顕微鏡。
【請求項１３】
前記画像品質メトリックが、スペクトル画像品質メトリックを含む、請求項９に記載の顕微鏡。
【請求項１４】
前記スペクトル画像品質メトリックが、正規化された離散コサイン変換（ＤＣＴ）シャノンエントロピメトリックを含む、請求項１３に記載の顕微鏡。
【請求項１５】
前記適応制御メカニズムが、前記画像品質メトリックの前記最適化を実行する際に、周波数原点にセンタリングされた辺２ｒｐの正方形の外部の空間周波数を抑制するように構成された低域フィルタを実行し、数量ｒｐ＝ｗ（Ｉ）／ｒ０が前記対物レンズの点広がり関数の半径であり、ｗが前記像平面内の正方形の画像Ｉの幅であり、ｒ０が前記顕微鏡の光学的伝達関数（ＯＴＦ）のサポート半径である、請求項１３に記載の顕微鏡。
【請求項１６】
前記第５のコントローラが、圧電性アクチュエータを含み、
前記圧電性アクチュエータが、前記検出軸に沿って前記対物レンズを移動させるように構成される、請求項６に記載の顕微鏡。
【請求項１７】
前記光源及び前記照明光学部品が、前記顕微鏡内の第２の照射方向に沿ってサンプル内の第２の位置で第２のライトシートに前記光を形成するように更に構成され、前記第２の照射方向が前記照射軸と平行であり、
前記顕微鏡が、
前記検出軸と平行な第２の検出方向に対して垂直な第２の像平面内で前記第２のライトシートによって照らされた前記サンプルの第２の画像を生成するように構成された第２の対物レンズと、
前記第２の像平面内で前記第２のライトシートによって照らされた前記サンプルの前記第２の画像を検出するように構成された第２の検出器と、
前記照射軸に関して第２の横方向オフセットの周りで前記第２のライトシートを並進させるように構成された第６のコントローラと、
前記サンプル内の前記第２の位置に関して第２の縦方向オフセットの周りで前記第２のライトシートを並進させるように構成された第７のコントローラと、
前記照射軸の周りの第２の横揺れ角内で前記第２のライトシートを回転させるように構成された第８のコントローラと、
前記照射軸に対して垂直な第２の方向の周りの第２の偏揺れ角内で前記第２のライトシートを回転させるように構成された第９のコントローラと、
前記検出軸に沿って前記第２の対物レンズを並進させるように構成された第１０のコントローラと、
を更に含む、請求項６に記載の顕微鏡。
【請求項１８】
顕微鏡内で、指定の波長を有する光を発生することと、
前記顕微鏡の照射軸と平行な照射方向に沿ってサンプル内のある位置で前記光からライトシートを形成することと、
前記ライトシートによって照らされた前記サンプルの一部分の画像を形成することと、
前記形成された画像に基づいて画像メトリックを発生することと、
前記画像メトリックに基づいて、（ｉ）前記照射軸に対して横向きの方向に前記ライトシートを並進させること、（ｉｉ）前記照射軸に沿った方向に前記ライトシートを並進させること、（ｉｉｉ）前記照射軸の周りの横揺れ角内で前記ライトシートを回転させること、及び、（ｉｖ）前記照射軸に対して垂直な方向の周りの偏揺れ角内で前記ライトシートを回転させること、により前記ライトシートを調整することと、
を含む、方法。
【請求項１９】
非一時的記憶媒体を含むコンピュータプログラムプロダクトであって、前記コンピュータプログラムプロダクトが、電子デバイス上での前記コンピュータプログラムプロダクトの実行時に、前記電子デバイスにある方法を実行させるコードを含み、前記方法が、
顕微鏡の照射軸と平行な照射方向に沿ってライトシートによって照らされたサンプル内のある位置で前記顕微鏡内の前記サンプルの画像に基づいて画像メトリックを発生することと、
前記画像メトリックに基づいて、（ｉ）前記照射軸に対して横向きの方向に前記ライトシートを並進させること、（ｉｉ）前記照射軸に沿った方向に前記ライトシートを並進させること、（ｉｉｉ）前記照射軸の周りの横揺れ角内で前記ライトシートを回転させること、及び、（ｉｖ）前記照射軸に対して垂直な方向の周りの偏揺れ角内で前記ライトシートを回転させること、により前記ライトシートを調整することと、
を含む、コンピュータプログラムプロダクト。